【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
少なくとも１つのユーザ端末（ＵＥ）が無線セルラーネットワークにおいてコネクションレス型送信モードを使用してデータパケットのアップリンク（ＵＬ）及びダウンリンク（ＤＬ）送信のための方法であって、
前記コネクションレス型送信モードのために前記無線セルラーネットワークで共通ベアラーを確立するステップと、
前記コネクションレス型送信モードで前記データパケットを処理するためにコネクションレス（ＣＬ）指示を提供するステップと、
自己持続可能な方式で前記無線セルラーネットワークを通して前記データパケットを独立してルーティングするために、パケットヘッダー情報としてルーティング情報、ＵＥ識別子（ＵＥ  ＩＤ）、及びセキュリティコンテキスト識別子の中の少なくとも１つを前記データパケットに付加するステップと、
前記コネクションレス型送信モードにおいて、前記データパケットの前記ＵＬ送信及び前記ＤＬ送信のために前記無線セルラーネットワークの前記少なくとも１つのＵＥと少なくとも１つの無線アクセスネットワーク（ＲＡＮ）ノードとの間の修正されたＵｕインターフェースを使用するステップと
を有することを特徴とするデータパケットのアップリンク及びダウンリンク送信のための方法。
【請求項２】
前記少なくとも１つのＵＥと前記少なくとも１つのＲＡＮノードとの間の前記ＵＬ送信及びＤＬ送信の間に、完全性保護及び暗号化保護の中の少なくとも１つを提供することにより前記データパケットをセキュアにするステップをさらに有することを特徴とする請求項１に記載のデータパケットのアップリンク及びダウンリンク送信のための方法。
【請求項３】
前記少なくとも１つのＵＥとサービングゲートウェイ（ＳＧＷ）との間の前記ＵＬ送信及びＤＬ送信の間に、完全性保護及び暗号化保護の中の少なくとも１つを提供することにより前記データパケットをセキュアにするステップをさらに有することを特徴とする請求項１に記載のデータパケットのアップリンク及びダウンリンク送信のための方法。
【請求項４】
前記共通ベアラーを確立するステップは、
前記少なくとも１つのＲＡＮノードとＳＧＷとの間に前記コネクションレス型送信モードを使用して前記データパケットの前記ＵＬ送信及び前記ＤＬ送信をイネーブルするために、前記無線セルラーネットワークの前記少なくとも１つのＲＡＮノードと前記ＳＧＷとの間でＳ１共通ベアラーを確立するステップと、
前記ＳＧＷと少なくとも１つのパケットデータネットワークゲートウェイ（ＰＧＷ）との間で前記コネクションレス型送信モードを使用して前記データパケットの前記ＵＬ送信及び前記ＤＬ送信をイネーブルするために、前記ＳＧＷと前記少なくとも１つのＰＧＷとの間でＳ５及びＳ８共通ベアラーの中の１つを確立するステップと
を有することを特徴とする請求項１に記載のデータパケットのアップリンク及びダウンリンク送信のための方法。
【請求項５】
ランダムアクセスチャネル（ＲＡＣＨ）手順に基づいて前記コネクションレス型送信モードに対する前記修正されたＵｕインターフェースを定義するステップを有し、前記ＲＡＣＨ手順は、既存のＲＡＣＨ手順、修正されたＲＡＣＨ手順、及び最適化されたＲＡＣＨ手順の中の１つであることを特徴とする請求項１に記載のデータパケットのアップリンク及びダウンリンク送信のための方法。
【請求項６】
前記少なくとも１つのＵＥとサービングＲＡＮノードとの間の前記ＵＬ送信のために、前記少なくとも１つのＵＥが前記コネクションレス型送信モードのための既存のＲＡＣＨ手順を開始するステップを有し、前記既存のＲＡＣＨ手順は、
ランダムアクセス無線ネットワーク一時指示子（ＲＡ−ＲＮＴＩ）を使用して物理ダウンリンク共有チャネル（ＰＤＳＣＨ）を通してＲＡ応答（ＲＡＣＨメッセージ２）を受信すると、ＲＡメッセージ（ＲＡＣＨメッセージ３）で前記ＣＬ指示及び前記少なくとも１つのＵＥの前記ＵＥ  ＩＤを前記サービングＲＡＮノードに提供し、前記ＲＡＣＨメッセージ２は、前記少なくとも１つのＵＥからのレガシープリアンブルシーケンス送信（ＲＡＣＨメッセージ１）に対する応答で受信されたものであり、
前記サービングＲＡＮノードからの競合解決メッセージ（ＲＡＣＨメッセージ４）で前記データパケットのコネクションレス型送信のためのＵＬグラントを受信し、
前記ＵＥ  ＩＤ、前記セキュリティコンテキスト識別子、及びＧＷ  ＩＤの中の少なくとも１つをパケットヘッダー情報として前記データパケットに付加した後に、物理アップリンク共有チャネル（ＰＵＳＣＨ）を通してＲＡＣＨメッセージ５で前記データパケットを送信することにより開始されることを特徴とする請求項５に記載のデータパケットのアップリンク及びダウンリンク送信のための方法。
【請求項７】
前記少なくとも１つのＵＥとサービングＲＡＮノードとの間の前記ＵＬ送信のために、前記少なくとも１つのＵＥが前記コネクションレス型送信モードのための修正されたＲＡＣＨ手順を開始するステップをさらに有し、前記修正されたＲＡＣＨ手順は、
ＲＡＣＨメッセージ１で新たなプリアンブルシーケンスを使用して前記ＣＬ指示を前記サービングＲＡＮノードに提供し、前記新たなプリアンブルシーケンスは、前記コネクションレス型送信モードのために予約されたものであり、
コネクションレス型無線ネットワーク一時指示子（ＣＬ−ＲＮＴＩ）及びランダムアクセス無線ネットワーク一時指示子（ＲＡ−ＲＮＴＩ）の中の１つを使用して前記サービングＲＡＮノードからＲＡＣＨメッセージ２の前記データパケットの前記コネクションレス型送信モードに対するＵＬグラントを受信し、
前記ＵＥ  ＩＤ、前記セキュリティコンテキスト識別子、及びＧＷ  ＩＤの中の少なくとも１つをパケットヘッダー情報として前記データパケットに付加した後に、ＰＵＳＣＨを通してＲＡＣＨメッセージ３で前記データパケットを送信し、前記ＲＡＣＨメッセージ３は、前記データパケットのペンディングセグメントに対するペンディング指示子を有し、
一時セルＲＮＴＩ（Ｃ−ＲＮＴＩ）及び前記ＣＬ−ＲＮＴＩの中の１つを使用してＲＡＣＨメッセージ４で前記ペンディングセグメントに対する前記ＵＬグラントを受信し、
前記ＵＥ  ＩＤ、前記セキュリティコンテキスト識別子、及び前記ＧＷ  ＩＤの中の少なくとも１つをパケットヘッダー情報として付加した後に、前記ＰＵＳＣＨを通してＲＡＣＨメッセージ５で前記ペンディングセグメントを送信することにより開始されることを特徴とする請求項５に記載のデータパケットのアップリンク及びダウンリンク送信のための方法。
【請求項８】
前記少なくとも１つのＵＥとサービングＲＡＮノードとの間の前記ＵＬ送信のために、前記少なくとも１つのＵＥが前記コネクションレス型送信モードのための最適化されたＲＡＣＨ手順を開始するステップをさらに有し、前記最適化されたＲＡＣＨ手順は、
ＲＡＣＨメッセージ１で固有プリアンブルシーケンスを使用して前記ＣＬ指示を前記サービングＲＡＮノードに提供し、前記固有プリアンブルシーケンスは、前記コネクションレス型送信モードのために予約された新たなプリアンブルシーケンス、バッファ状態報告（ＢＳＲ）、及び前記ＵＥ  ＩＤの中の少なくとも１つを有し、
ＲＡ−ＲＮＴＩを使用して前記サービングＲＡＮノードからＲＡＣＨメッセージ２で前記データパケットのコネクションレス型送信に対するＵＬグラントを受信し、
前記ＵＥ  ＩＤ、前記セキュリティコンテキスト識別子、及びＧＷ  ＩＤの中の少なくとも１つをパケットヘッダー情報として前記データパケットに付加した後に、ＰＵＳＣＨを通してＲＡＣＨメッセージ３の前記データパケットを送信し、前記ＲＡＣＨメッセージ３は、前記データパケットのペンディングセグメントに対するペンディング指示子を有し、
ＣＬ−ＲＮＴＩを使用してＲＡＣＨメッセージ４で前記ペンディングセグメントに対する前記ＵＬグラントを受信し、
前記ＵＥ  ＩＤ、前記セキュリティコンテキスト識別子、及びＧＷ  ＩＤの中の少なくとも１つをパケットヘッダー情報として付加した後に、前記ＰＵＳＣＨを通してＲＡＣＨメッセージ５で前記ペンディングセグメントを送信することにより開始されることを特徴とする請求項５に記載のデータパケットのアップリンク及びダウンリンク送信のための方法。
【請求項９】
新たなＲＡＮノードへのセル再選択の間に、前記コネクションレス型送信モードのために前記少なくとも１つのＵＥの移動性を処理するステップをさらに有し、Ｔ再選択タイマーが満了すると、前記少なくとも１つのＵＥは、旧ＲＡＮノードに送信された前記データパケットのすべてのセグメントを前記新たなＲＡＮノードに再送信し、その次のデータパケットを前記新たなＲＡＮノードに再送信することを特徴とする請求項１に記載のデータパケットのアップリンク及びダウンリンク送信のための方法。
【請求項１０】
コネクションレス型送信モードを使用して少なくとも１つのユーザ端末（ＵＥ）のデータパケットのアップリンク（ＵＬ）及びダウンリンク（ＤＬ）送信のための無線セルラーネットワークであって、前記無線セルラーネットワークは、複数の無線アクセスネットワーク（ＲＡＮ）ノード、移動性管理エンティティ（ＭＭＥ）、サービングゲートウェイ（ＳＧＷ）の中の少なくとも１つ、パケットデータネットワークゲートウェイ（ＰＧＷ）の中の少なくとも１つを有し、
前記無線セルラーネットワークは、
前記コネクションレス型送信モードのために前記無線セルラーネットワークに共通ベアラーを確立し、
前記コネクションレス型送信モードで前記データパケットを処理するためにコネクションレス（ＣＬ）指示を提供し、
自己持続可能な方式で前記無線セルラーネットワークを通して前記データパケットを独立してルーティングするために、ルーティング情報、ＵＥ識別子（ＵＥ  ＩＤ）、及びセキュリティコンテキスト識別子の中の少なくとも１つをパケットヘッダー情報として前記データパケットに付加し、
前記コネクションレス型送信モードで、前記データパケットの前記ＵＬ送信及び前記ＤＬ送信のために、前記少なくとも１つのＵＥと前記少なくとも１つのＲＡＮノードとの間の修正されたＵｕインターフェースを使用するように構成されることを特徴とする無線セルラーネットワーク。
【請求項１１】
前記少なくとも１つのＲＡＮノードは、前記ＤＬ送信の間に、完全性保護及び暗号化保護の中の少なくとも１つを提供することにより前記データパケットをセキュアにするように構成されることを特徴とする請求項１０に記載の無線セルラーネットワーク。
【請求項１２】
前記複数のＳＧＷの中の前記ＳＧＷは、前記ＤＬ送信の間に、完全性保護及び暗号化保護の中の少なくとも１つを提供することにより前記データパケットをセキュアにするように構成されることを特徴とする請求項１０に記載の無線セルラーネットワーク。
【請求項１３】
前記ＭＭＥは、
前記少なくとも１つのＲＡＮノードと前記ＳＧＷとの間で前記コネクションレス型送信モードを使用して前記データパケットの前記ＵＬ送信及び前記ＤＬ送信をイネーブルするために、前記少なくとも１つのＲＡＮノードと前記ＳＧＷとの間でＳ１共通ベアラーを確立し、
前記ＳＧＷと前記少なくとも１つのパケットデータネットワークゲートウェイ（ＰＧＷ）との間で前記コネクションレス型送信モードを使用して前記データパケットの前記ＵＬ送信及び前記ＤＬ送信をイネーブルするために、前記ＳＧＷと前記少なくとも１つのＰＧＷとの間でＳ５及びＳ８共通ベアラーの中の１つを確立するようにさらに構成されることを特徴とする請求項１０に記載の無線セルラーネットワーク。
【請求項１４】
前記無線セルラーネットワークは、
前記少なくとも１つのＲＡＮノードと前記ＳＧＷとの間で前記コネクションレス型送信モードを使用して前記データパケットの前記ＵＬ送信及び前記ＤＬ送信をイネーブルするために、前記少なくとも１つのＲＡＮノードと前記ＳＧＷとの間でＳ１共通ベアラーを確立し、
前記ＳＧＷと少なくとも１つのパケットデータネットワークゲートウェイ（ＰＧＷ）との間で前記コネクションレス型送信モードを使用して前記データパケットの前記ＵＬ送信及び前記ＤＬ送信をイネーブルするために、前記ＳＧＷと前記少なくとも１つのＰＧＷとの間でＳ５及びＳ８共通ベアラーの中の１つを確立するようにさらに静的に構成されることを特徴とする請求項１０に記載の無線セルラーネットワーク。
【請求項１５】
前記無線セルラーネットワークは、ランダムアクセスチャネル（ＲＡＣＨ）手順に基づいて前記コネクションレス型送信モードに対する前記修正されたＵｕインターフェースを定義するように構成され、前記ＲＡＣＨ手順は、既存のＲＡＣＨ手順、修正されたＲＡＣＨ手順、及び最適化されたＲＡＣＨ手順の中の１つであることを特徴とする請求項１０に記載の無線セルラーネットワーク。
【請求項１６】
前記少なくとも１つのＲＡＮノードは、前記ＵＬ送信のために前記少なくとも１つのＵＥが前記コネクションレス型送信モードのための既存のＲＡＣＨ手順を開始したものに応答するように構成され、前記応答は、
ランダムアクセス無線ネットワーク一時指示子（ＲＡ−ＲＮＴＩ）を使用して物理ダウンリンク共有チャネル（ＰＤＳＣＨ）を通してＲＡ応答（ＲＡＣＨメッセージ２）を送信した後に、ＲＡメッセージ（ＲＡＣＨメッセージ３）で前記ＣＬ指示及び前記少なくとも１つのＵＥの前記ＵＥ  ＩＤを受信し、前記ＲＡＣＨメッセージ２は、前記少なくとも１つのＵＥからのレガシープリアンブルシーケンス送信（ＲＡＣＨメッセージ１）に対する応答であり、
競合解決メッセージ（ＲＡＣＨメッセージ４）で前記データパケットのコネクションレス型送信のためのＵＬグラントを送信し、
物理アップリンク共有チャネル（ＰＵＳＣＨ）を通してＲＡＣＨメッセージ５で前記データパケットを受信し、前記データパケットには、前記ＵＥ  ＩＤ、前記セキュリティコンテキスト識別子、及びＧＷ  ＩＤの中の少なくとも１つがパケットヘッダー情報として付加されることを特徴とする請求項１０に記載の無線セルラーネットワーク。
【請求項１７】
前記少なくとも１つのＲＡＮノードは、前記ＵＬ送信のために前記少なくとも１つのＵＥが前記コネクションレス型送信モードのための修正されたＲＡＣＨ手順の開始に応答するように構成され、前記応答は、
ＲＡＣＨメッセージ１で新たなプリアンブルシーケンスを通して前記ＣＬ指示を受信し、前記新たなプリアンブルシーケンスは、前記コネクションレス型送信モードのために予約されたものであり、
ＣＬ−ＲＮＴＩ及びＲＡ−ＲＮＴＩの中の１つを使用してＲＡＣＨメッセージ２の前記データパケットの前記コネクションレス型送信モードに対するＵＬグラントを送信し、
ＰＵＳＣＨを通してＲＡＣＨメッセージ３で前記データパケットを受信し、前記データパケットには、前記ＵＥ  ＩＤ、前記セキュリティコンテキスト識別子、及びＧＷ  ＩＤの中の少なくとも１つがパケットヘッダー情報として付加され、前記ＲＡＣＨメッセージ３は、前記データパケットのペンディングセグメントに対するペンディング指示子を有し、
一時セル−ＲＮＴＩ（Ｃ−ＲＮＴＩ）及び前記ＣＬ−ＲＮＴＩの中の１つを使用してＲＡＣＨメッセージ４で前記ペンディングセグメントに対する前記ＵＬグラントを送信し、
前記ＰＵＳＣＨを通して前記ＵＥ  ＩＤ、前記セキュリティコンテキスト識別子、及び前記ＧＷ  ＩＤの中の少なくとも１つがパケットヘッダー情報として前記ペンディングセグメントに付加されたＲＡＣＨメッセージ５で前記ペンディングセグメントを受信することを特徴とする請求項１０に記載の無線セルラーネットワーク。
【請求項１８】
前記少なくとも１つのＲＡＮノードは、前記ＵＬ送信のために前記少なくとも１つのＵＥが前記コネクションレス型送信モードのための最適化されたＲＡＣＨ手順の開始に応答するように構成され、前記応答は、
ＲＡＣＨメッセージ１で固有のプリアンブルシーケンスを使用して前記ＣＬ指示を受信し、前記固有のプリアンブルシーケンスは、前記コネクションレス型送信モードのために予約された新たなプリアンブルシーケンス、バッファ状態報告（ＢＳＲ）、及び前記ＵＥ  ＩＤの中の少なくとも１つを含み、
ＲＡ−ＲＮＴＩを使用してＲＡＣＨメッセージ２で前記データパケットのコネクションレス型送信に対するＵＬグラントを送信し、
ＰＵＳＣＨを通して前記ＵＥ  ＩＤ、前記セキュリティコンテキスト識別子、及びＧＷ  ＩＤの中の少なくとも１つがパケットヘッダー情報として付加されたＲＡＣＨメッセージ３で前記データパケットを受信し、前記ＲＡＣＨメッセージ３は、前記データパケットのペンディングセグメントに対するペンディング指示子を有し、
ＣＬ−ＲＮＴＩを使用してＲＡＣＨメッセージ４で前記ペンディングセグメントに対する前記ＵＬグラントを送信し、
前記ＰＵＳＣＨを通して前記ＵＥ  ＩＤ、前記セキュリティコンテキスト識別子、及び前記ＧＷ  ＩＤの中の少なくとも１つがパケットヘッダー情報として前記ペンディングセグメントに付加されたＲＡＣＨメッセージ５で前記ペンディングセグメントを受信することを特徴とする請求項１０に記載の無線セルラーネットワーク。
【請求項１９】
前記ＳＧＷは、マッピングされたＵＥ  ＩＤをパケットヘッダー情報として前記データパケットに付加し、前記コネクションレス型送信モードでの前記ＤＬ送信のためにＳ１共通ベアラーを通してサービングＲＡＮノードに転送するように構成されることを特徴とする請求項１０に記載の無線セルラーネットワーク。
【請求項２０】
コネクションレス型送信モードを使用してデータパケットのアップリンク（ＵＬ）及びダウンリンク（ＤＬ）送信のためのユーザ端末（ＵＥ）であって、
少なくとも１つのプロセッサをさらに有する集積回路と、
前記回路内にコンピュータプログラムコードを有する少なくとも１つのメモリとを有し、
前記少なくとも１つのメモリ及び前記コンピュータプログラムコードは、前記少なくとも１つのプロセッサを有し、前記ＵＥが
前記コネクションレス型送信モードで前記データパケットを処理するサービングＲＡＮノードを示すコネクションレス（ＣＬ）指示を送信するようにし、
自己持続可能な方式で前記データパケットを独立してルーティングするために、ゲートウェイ識別子（ＧＷ  ＩＤ）、セキュリティコンテキスト識別子、及びＵＥ識別子（ＵＥ  ＩＤ）の中の少なくとも１つをパケットヘッダー情報として前記データパケットに付加するようにし、
前記コネクションレス型送信モードで前記データパケットの前記ＵＬ送信及び前記ＤＬ送信のために修正されたＵｕインターフェースを使用してサービングＲＡＮノードと通信するようにすることを特徴とするユーザ端末。
【請求項２１】
前記ＵＥは、前記ＵＬ送信の間に、完全性保護及び暗号化保護の中の少なくとも１つを提供することにより前記データパケットをセキュアにするように構成されることを特徴とする請求項２０に記載のユーザ端末。
【請求項２２】
前記ＵＥは、前記データパケットの前記ＵＬ送信のための前記コネクションレス型送信モードを開始するためにＲＡＣＨ手順を通して前記ＣＬ指示をサービングＲＡＮノードに送信するようにさらに構成されることを特徴とする請求項２０に記載のユーザ端末。
【請求項２３】
前記ＵＥは、前記コネクションレス型送信モードでの前記ＵＬ送信のために既存のＲＡＣＨ手順を開始するようにさらに構成され、前記既存のＲＡＣＨ手順は、
ランダムアクセス無線ネットワーク一時指示子（ＲＡ−ＲＮＴＩ）を使用して物理ダウンリンク共有チャネル（ＰＤＳＣＨ）を通してＲＡ応答（ＲＡＣＨメッセージ２）を受信すると、ＲＡメッセージ（ＲＡＣＨメッセージ３）で前記ＣＬ指示及び前記ＵＥ  ＩＤを前記サービングＲＡＮノードに提供し、前記ＲＡＣＨメッセージ２は、レガシープリアンブルシーケンス送信（ＲＡＣＨメッセージ１）に対する応答で受信されたものであり、
前記サービングＲＡＮノードから競合解決メッセージ（ＲＡＣＨメッセージ４）で前記データパケットのコネクションレス型送信のためのＵＬグラントを受信し、
前記ＵＥ  ＩＤ、セキュリティコンテキスト識別子、及び前記ＧＷ  ＩＤの中の少なくとも１つをパケットヘッダー情報として前記データパケットに付加した後に、物理アップリンク共有チャネル（ＰＵＳＣＨ）を通してＲＡＣＨメッセージ５で前記データパケットを送信することにより開始されることを特徴とする請求項２０に記載のユーザ端末。
【請求項２４】
前記ＵＥは、前記コネクションレス型送信モードでの前記ＵＬ送信のために修正されたＲＡＣＨ手順を開始するようにさらに構成され、前記修正されたＲＡＣＨ手順は、
ＲＡＣＨメッセージ１で新たなプリアンブルシーケンスを使用して前記ＣＬ指示を前記サービングＲＡＮノードに提供し、前記新たなプリアンブルシーケンスは、前記コネクションレス型送信モードのために予約されたものであり、
コネクションレス型無線ネットワーク一時指示子（ＣＬ−ＲＮＴＩ）及びランダムアクセス無線ネットワーク一時指示子（ＲＡ−ＲＮＴＩ）の中の１つを使用して前記サービングＲＡＮノードからＲＡＣＨメッセージ２の前記データパケットの前記コネクションレス型送信モードに対するＵＬグラントを受信し、
前記ＵＥ  ＩＤ、セキュリティコンテキスト識別子、及び前記ＧＷ  ＩＤの中の少なくとも１つをパケットヘッダー情報として前記データパケットに付加した後に、ＰＵＳＣＨを通してＲＡＣＨメッセージ３で前記データパケットを送信し、前記ＲＡＣＨメッセージ３は、前記データパケットのペンディングセグメントに対するペンディング指示子を有し、
一時セルＲＮＴＩ（ＣＲＮＴＩ）及び前記ＣＬ−ＲＮＴＩの中の１つを使用してＲＡＣＨメッセージ４で前記ペンディングセグメントに対する前記ＵＬグラントを受信し、
前記ＵＥ  ＩＤ、前記セキュリティコンテキスト識別子、及び前記ＧＷ  ＩＤの中の少なくとも１つをパケットヘッダー情報として付加した後に、前記ＰＵＳＣＨを通してＲＡＣＨメッセージ５で前記ペンディングセグメントを送信することにより開始されることを特徴とする請求項２０に記載のユーザ端末。
【請求項２５】
前記ＵＥは、前記コネクションレス型送信モードでの前記ＵＬ送信のために最適化されたＲＡＣＨ手順を開始するようにさらに構成され、前記最適化されたＲＡＣＨ手順は、
ＲＡＣＨメッセージ１で固有のプリアンブルシーケンスを使用して前記ＣＬ指示を前記サービングＲＡＮノードに提供し、前記固有のプリアンブルシーケンスは、前記コネクションレス型送信モードのために予約された新たなプリアンブルシーケンス、バッファ状態報告（ＢＳＲ）、及び前記ＵＥ  ＩＤの中の少なくとも１つを有し、
ＲＡ−ＲＮＴＩを使用して前記サービングＲＡＮノードからＲＡＣＨメッセージ２で前記データパケットのコネクションレス型送信に対するＵＬグラントを受信し、
前記ＵＥ  ＩＤ、前記セキュリティコンテキスト識別子、前記ＧＷ  ＩＤの中の少なくとも１つをパケットヘッダー情報として前記データパケットに付加した後に、ＰＵＳＣＨを通してＲＡＣＨメッセージ３の前記データパケットを送信し、前記ＲＡＣＨメッセージ３は、前記データパケットのペンディングセグメントに対するペンディング指示子を有し、
ＣＬ−ＲＮＴＩを使用してＲＡＣＨメッセージ４で前記ペンディングセグメントに対する前記ＵＬグラントを受信し、
前記ＵＥ  ＩＤ、前記セキュリティコンテキスト識別子、及び前記ＧＷ  ＩＤの中の少なくとも１つをパケットヘッダー情報として付加した後に、前記ＰＵＳＣＨを通してＲＡＣＨメッセージ５で前記ペンディングセグメントを送信することにより開始されることを特徴とする請求項２０に記載のユーザ端末。
【請求項２６】
前記ＵＥは、セル再選択の間にコネクションレス型送信のために移動性を処理するようにさらに構成され、Ｔ再選択タイマーが満了すると、前記ＵＥは、旧ＲＡＮノードに送信された前記データパケットのすべてのセグメントを新ＲＡＮノードに再送信し、前記新ＲＡＮノードへの前記セル再選択の後にその次のデータパケットを前記新ＲＡＮノードに再送信することを特徴とする請求項２０に記載のユーザ端末。